(57)【要約】    【課題】  複数の竿体を連結する釣竿において、釣竿全体の剛性の変化等の特性を統一化（連続化）させた操作性に富む釣竿の製造方法を提供する。  【解決手段】  この方法は、以下の工程を含む。  先細りテーパの施された所望の釣竿の軸方向長さを有する芯材１００に、軸方向に強化繊維が配向されている前記芯材の軸方向全体を覆う一枚の繊維強化樹脂シートＰ１を巻回する工程。巻回した繊維強化樹脂シートＰ１を焼成する工程。焼成した繊維強化樹脂シートＰ１を所望の長さに切り分けて複数の竿体を形成する工程。切り分けた複数の竿体を相互に連結するための連結部を、複数の竿体に設ける工程。      【選択図】  図２
2005027619.tif 000002
【特許請求の範囲】
【請求項１】
複数の竿体を連結して構成される釣竿の製造方法であって、
先細りテーパの施された所望の釣竿の軸方向長さを有する芯材に、軸方向に強化繊維が配向されている前記芯材の軸方向全体を覆う一枚の繊維強化樹脂シートを巻回する工程と、
前記巻回した繊維強化樹脂シートを焼成する工程と、
前記焼成した繊維強化樹脂シートを所望の長さに切り分けて複数の竿体を形成する工程と、
前記切り分けた複数の竿体を相互に連結するための連結部を、前記複数の竿体に設ける工程と、
を含む、釣竿の製造方法。
【請求項２】
前記繊維強化樹脂シートを巻回する工程の後に、切り分ける部位に於いて前記繊維強化樹脂シートの少なくとも外周面にさらに周方向に強化繊維が配向された補助プリプレグを巻回する工程を含む、請求項１に記載の釣竿の製造方法。
【請求項３】
前記繊維強化樹脂シートを巻回した後に、前記繊維強化樹脂シートの切り分け位置の周面に、軸方向に延びるマーキングを施す工程をさらに含む、請求項１または２に記載の方法。
【請求項４】
前記焼成した繊維強化樹脂シートを切り分ける工程は、前記繊維強化樹脂シートを軸方向に対して傾斜した方向に切り分けるものである、請求項１または２に記載の方法。
【発明の詳細な説明】
【技術分野】
【０００１】
本発明は、魚釣りに用いる釣竿を構成する竿体の製造方法に関する。
【背景技術】
【０００２】
釣竿の竿体は、軽量でかつ耐衝撃性，屈曲性等の機械的強度に優れるという特性が求められる。そこで、従来の釣竿の竿体は、例えば、炭素繊維，ガラス繊維等の強化繊維に合成樹脂を含浸させた繊維強化樹脂をシート状に加工したもの（一般に「プリプレグシート」と呼ばれる）を芯材に巻回して焼成して製造される。芯材に巻回するプリプレグは、軸長方向の曲げ剛性を確保するために、軸長方向に強化繊維を引き揃えたものや周方向に強化繊維を引き揃えたものなどが組み合わせて使用される。そして、各種のプリプレグの特性が製造される竿体の周方向や軸方向での剛性・強度等を左右することになる。
【０００３】
ところで、竿体を製造する際の芯材に巻回するプリプレグの配置や重なりあい等から、周方向の強度・剛性の異方性や肉厚の偏りなどから生じる恐れがある。これらは竿体のしなやかな曲がりを損ない、竿体の操作性を損なう恐れがある。竿体のこのような問題を回避するために、様々な技術が提案されてきた（例えば、巻回するプリプレグシートをずらして巻回する技術：特許文献１・特許文献２等参照）。
【特許文献１】特開２００１−２３８５７５号公報
【特許文献２】特開平１１−１７８４７９号公報
【発明の開示】
【発明が解決しようとする課題】
【０００４】
しかし、これまでに提案されている技術は、一個の竿体を製造するに当たって、１つの竿体における異方性や肉厚の偏りなどを回避するに留まるものである。既に述べたように、釣竿は製造した個々の竿体を連結して一本の長い釣竿とするものである。従って、一個の竿体において周方向の強度の異方性や肉厚の偏りなどを回避しても、連結する１つの竿体と他の竿体との間で強度・剛性の異方性などがあれば、一本の釣竿としてみた場合に、釣竿全体のしなやかな曲がりや、操作性を損なう恐れがある。
【０００５】
本発明の課題は、複数の竿体を連結する釣竿において、釣竿全体の剛性の変化  等の特性を統一化（連続化）させた操作性に富む釣竿の製造方法を提供することにある。
【課題を解決するための手段】
【０００６】
本発明の方法は、複数の竿体を連結して構成される釣竿の製造方法であって、以下の工程を含むものである。先細りテーパの施された所望の釣竿の軸方向長さを有する芯材に、軸方向に強化繊維が配向されている芯材の軸方向全体を覆う一枚の繊維強化樹脂シートを巻回する工程。巻回した繊維強化樹脂シートを焼成する工程。焼成した繊維強化樹脂シートを所望の長さに切り分けて複数の竿体を形成する工程。切り分けた複数の竿体を相互に連結するための連結部を、複数の竿体に設ける工程。
【０００７】
この方法は、予め釣竿全体の軸方向長さを有する繊維強化樹脂シート（プリプレグシート）を芯材に巻回して、一枚の繊維強化樹脂シートから釣竿全体を形成する筒状体を製造する。その上で、形成された連続した筒状体を切断して、個々の竿体に区分する。元々、１つの繊維強化樹脂シートから釣竿全体を形成するので、形成される筒状体の特性は統一的なものである。従って、区分して別個独立の竿体とした個々の竿体に連結部を設けて、元の１つの筒状体のように連結すれば、元の繊維強化樹脂シートの統一的な特性を有する釣竿となる。
【０００８】
さらに、このようにまとめて１つの連続的な筒状体を形成し、その後切断することで、製造工程も簡略化でき製造も容易になる。
【０００９】
なお、この方法においては、繊維強化樹脂シートを巻回した後に、繊維強化樹脂シートの切り分け位置の少なくとも外周面に、補助プリプレグを巻回する工程を含むものとしてもよい。切断部位に於いて補助プリプレグを巻回することで、当該部位の潰れ強度を確保する。
【００１０】
また、この方法においては、繊維強化樹脂シートを巻回した後に、繊維強化樹脂シートの切り分け位置の少なくとも外周面に、軸方向に延びるマーキングを施す工程をさらに含むものとしてもよい。当該マーキングをあわせるように区分した個々の竿体を連結すれば、周方向においても元の１つの筒状体のように個々の竿体を連結でき、周方向に於ける特性も統一化できる。
【００１１】
また、この方法においては、焼成した繊維強化樹脂シートを切り分ける工程は、繊維強化樹脂シートを軸方向に対して傾斜した方向に切り分けるものとしてもよい。傾斜した切断面を整合するように個々の竿体を連結すれば、周方向においても元の１つの筒状体のように個々の竿体を連結でき、周方向における特性も統一化できる。
【発明の効果】
【００１２】
本発明の方法では、複数の竿体を連結する釣竿において、釣竿全体の剛性の変化等の特性を統一化（連続化）させることができる。このような釣竿はその操作性が良好である。
【発明を実施するための最良の形態】
【００１３】
［第１実施形態］
（釣竿の構造）
以下、本発明の第１実施形態について、図面を参照しつつ説明する。
【００１４】
本発明の実施形態を採用した釣竿は、図１に示すように、複数の竿体を印籠継ぎと呼ばれる形式で連結して一本の釣竿となっている。例えば、最も手元側に位置する元竿１と、元竿１の穂先側に順次連結される、元上竿２，中竿３，穂先竿４との４本の竿体から構成されている。竿体の本数は任意に設定可能であるが、後の詳しく説明するように、本発明にかかる方法で釣竿を製造するに当たっては、竿体の本数は２〜４本程度が好ましい。具体的には、比較的釣竿全体の軸方向長さが短い船竿やバス用ロッドなどに適用できる。
【００１５】
各竿体は後述のように繊維強化樹脂（プリプレグ素材）から形成される先細り筒状体である。例えば、元竿１にあっては、その穂先側端部に穂先側に一部が突出するように、中実の細棒体であるインロー芯１ａが接着され固定されている。このインロー芯１ａも繊維強化樹脂等から製造される。そして、このインロー芯１ａを元上竿２の竿元側に装入して、元竿１と元上竿２とが連結されている。他の竿体においても同様である。
【００１６】
また、元竿１の周面にはリールを脱着自在に装着するためのリールシート５や、元竿１を把持するためのグリップ６等が必要に応じて取り付けられている。さらに、各竿体の周面には軸方向に間隔を隔てて複数の釣糸ガイド７が装着されている。釣糸ガイド７はリールシートに装着したリールからの釣糸を案内する部材である。特に、穂先竿４の穂先側端部にはトップガイド８が装着されている。
【００１７】
（製造方法）
次に、この釣竿の製造方法を説明する。
【００１８】
まず、図２（ａ）に示すように、先細りテーパの施された釣竿の軸方向の全長さを有する芯材１００を用意する。この芯材１００には、軸方向の途中に３カ所テーパの異なる部位Ｘが形成されている。この部位Ｘには、それぞれ小径の先端側から順次急に手元側ほど大径化する領域と（例えば、この領域のテーパは２／１０００程度とする）、この領域に連続する軸方向で径の変化しない若しくは殆ど変化しない領域とがある。この部位Ｘが、焼成後に切断する部分となる。従って、目的とする各竿体（元竿１〜穂先竿４）の軸方向長さを考慮して、部位Ｘの軸方向の位置が決定されている。
【００１９】
このような芯材１００の周面に、必要に応じて、離型材などを塗布した後に、さらに、必要に応じて、炭素繊維などの強化繊維が芯材１００の軸方向から正負両斜め方向に斜行して組み合わされてクロス状とした上に合成樹脂を含浸させたクロスプリプレグを１〜数プライ巻回する。そして、芯材１００の軸方向に強化繊維を配向した上で合成樹脂を含浸させた一枚のメインプリプレグＰ１を芯材１００の軸方向全体に巻回する。このメインプリプレグＰ１は、芯材１００の小径の先端側の巻回幅が短く、芯材１００の大径の後端側の巻回幅が長くなるような略台形型にプリプレグ素材を切断加工したシート状のものである。芯材１００の軸方向長さによってもメインプリプレグＰ１の巻回数は変化するが、例えば、芯材１００の全長が２４００〜２５００mm程度である場合には、芯材１００の先端側で３プライ，後端側で１０プライ程度巻回するように、メインプリプレグＰ１の巻回幅を設定する。
【００２０】
メインプリプレグＰ１を巻回した後に、部位Ｘの領域においては、メインプリプレグＰ１の外周にさらに補助用のプリプレグシート（図示せず）を必要に応じて巻回する。この補助用のプリプレグシートは、炭素繊維などの強化繊維が周方向に引き揃えられたものなど周知のものを利用できる。この補助用のプリプレグは、切断する箇所の補強用のためのものである。このような補強用のプリプレグシートは、少なくとも、メインプリプレグＰ１の外周面に１プライ以上巻回される。なお、さらに、これら各プリプレグ素材の最外周面に、ポリプロピレン等のテープを螺旋状に隙間なく巻回してもよい。これは、各プリプレグの形状を整える成型用のテープである。
【００２１】
このように芯材１００に巻回した種々のプリプレグ素材を、炉内において焼成する。この焼成によって、プリプレグ素材内の合成樹脂が硬化して、一本の長い筒状体が形成されることになる。焼成後、芯材１００を脱芯し、成型用テープを剥離して、一本の長い筒状体を得る。ここで、図２（ｂ）に示すように、３カ所の部位Ｘに軸方向にそれぞれマーキングＭを施す。３カ所のマーキングＭはその周方向位置は統一化される。
【００２２】
その後、図２（ｃ）に示すように、３カ所の部位Ｘにおいて得られた一本の筒状体を切断して、４本の竿体とする。この切断する箇所は、部位Ｘ内においてさらに詳細に述べれば、それぞれ小径の先端側から順次急に手元側ほど大径化する領域と、この領域に連続する軸方向で径の変化しない若しくは殆ど変化しない領域との臨界が好ましい。このような臨界点で一本の筒状体を切断することで、後述の印籠芯の装着加工が容易になる。
【００２３】
この切断によってマーキングＭは分断される。４つに区分されて形成された４本の竿体には、周面の研磨加工・塗装などを施し、それぞれ必要な部品を取り付ける。例えば、元竿１となる最も太径の竿体には、リールシート５やグリップ６を装着する。
【００２４】
なお、釣糸が挿通する複数の釣糸ガイド７は周方向位置が統一化される必要がある。従って、上述のように一本の筒状体を切断する前に、釣糸ガイド７を予め巻糸等で一本の筒状体の周面に固定してしまってもよい。釣糸ガイド７を一本の筒状体の周面に予め装着しておいてもよい。  
【００２５】
さらに、元竿１〜中竿３の穂先側端部にはそれぞれ所定の印籠芯を装入して接着固定する。
【００２６】
このような方法で製造される釣竿は、予め釣竿全体の軸方向長さを有するメインプリプレグＰ１を芯材１００に巻回して、一枚のメインプリプレグＰ１から釣竿全体を形成する筒状体を製造しており、ここから形成される筒状体の特性は周方向及び軸方向共に統一的なもの（連続的なもの）である。従って、得られた筒状体を区分して別個独立の竿体である元竿１〜穂先竿４としても、元の１つの筒状体のように連結すれば、元のメインプリプレグＰ１の統一的な特性を有する釣竿となる。特に、個々の竿体を連結する端部にはマーキングＭがあり、このマーキングＭを周方向にあわせつつ竿体同士を連結すれば、周方向の特性も用意に統一化できる。さらに、このようにまとめて１つの連続的な筒状体を形成し、その後切断することで、製造工程も簡略化される。
【００２７】
［他の実施形態］
（ａ）図３に示すように、１つの長い筒状体を形成した後に、所定の部位Ｘにおいて、軸方向から斜め方向に傾斜した切断面となるように、筒状体を切断してもよい。このような、斜めの切断面が整合するように竿体同士を連結することで、用意に周方向における特性を統一化させることも可能となる。
（ｂ）上記実施形態では、竿体同士を連結するための手法として「印籠継ぎ」と呼ばれる手法で形成した場合を示しているが、連結手法はこれに限定されるものではない。他の並継形式，振出形式などに適用することも可能である。また、「印籠継ぎ」を採用するにあっても、印籠芯を取り付けるのは、元竿１〜中竿３の穂先側端部ではなく、逆に、元上竿２〜穂先竿４の竿元側端部でもよい。
【図面の簡単な説明】
【００２８】
【図１】本発明の第１実施形態を採用した釣竿の全体図。
【図２】図１の釣竿の製造工程を示す図。
【図３】他の実施形態を採用した釣竿の製造工程を示した参考図。
【符号の説明】
【００２９】
１  元竿
２  元上竿
３  中竿
４  穂先竿
Ｐ１  メインプリプレグ
Ｍ  マーキング
【図１】
2005027619.tif 000003
【図２】
2005027619.tif 000004
【図３】
2005027619.tif 000005